(57)【要約】      （修正有）【課題】各種の現象を三要素に分解する場合に、直感的に理解することがしやすい表示装置を提示する。【解決手段】全体を２７個のブロックより構成し、２７個のブロックを上中下三段階に分ける。下段ｃは９個の截頭三角錐より成り、９個の截頭三角錐を同一平面に配置した場合に立体形状が截頭三角錐になるように構成する。中段ｂは９個の截頭三角錐より成り、９個の截頭三角錐を同一平面に配置した場合に、立体形状が截頭三角錐になるように構成する。上段ａは９個の三角錐より成り、９個の三角錐を同一平面に配置した場合に立体形状が三角錐になるように構成する。そして下段ｃの截頭三角錐の上に中段ｂの截頭三角錐を、中段ｂの截頭三角錐の上に上段ａ三角錐を搭載した場合に、全体で三角錐を形成するように構成するものである。【選択図】        図１
2005031514.tif 000002
【特許請求の範囲】
【請求項１】
２７個のブロックより構成し、
２７個のブロックを上中下三段階に分け、
下段は９個の截頭三角錐より成り、９個の截頭三角錐を同一平面に配置した場合に、立体形状が截頭三角錐になるように構成し、
中段は９個の截頭三角錐より成り、９個の截頭三角錐を同一平面に配置した場合に、立体形状が截頭三角錐になるように構成し、
上段は９個の三角錐より成り、９個の三角錐を同一平面に配置した場合に立体形状が三角錐になるように構成し、
下段の截頭三角錐の上に中段の截頭三角錐を、中段の截頭三角錐の上に上段三角錐を搭載した場合に、
全体で三角錐を形成するように構成した、
三次元表示装置。
【請求項２】
２７個の各ブロックに、
所定の数字、記号、文字を記載することによって、
各種の社会現象などを、３つの要素に分解して、
ブロックに記載した数字、記号、文字によって目視できる状態で表現するように構成した、
請求項１記載の、三次元表示装置。
【発明の詳細な説明】
【技術分野】
【０００１】
本発明は、三次元表示装置に関するものである。
【背景技術】
【０００２】
例えば企業の総合力のような現象を評価する場合に、「収益性」「継続性」「安全性」のような三要素に分解して評価するようの手法がある。
このような手法は、社会現象の評価に限らず、自然現象や人の心理の分析、産業機械の性能の分析、あるいは犯罪の分析など、多くの現象を対象として利用されている。
【発明の開示】
【発明が解決しようとする課題】
【０００３】
現象を二要素に分解する場合には、平面上にＸ軸とＹ軸を定め、ある一点を示すことによって、目視による理解を促すことができ、それを見た者も直感的に状況を把握することができる。
しかし前記したような三要素を分解する場合には、平面的に表現することができない。
そのために三面図を描けば、表現することはできるが、それを見る者は三種類の図面から頭脳の中で立体形状を合成して想像する必要がある。
したがって、見る者の図形合成の熟練度や背景の状況の理解度、過去の経験などによって理解の程度が異なってしまい、説明している者は理解してもらったつもりでも、相手にほとんど伝わっていない、あるいは誤解されて伝わっている、といった問題が生じる。
【課題を解決するための手段】
【０００４】
上記のような課題を解決するために、本発明の三次元表示装置は、全体を２７個のブロックより構成し、２７個のブロックを上中下三段階に分け、下段は９個の截頭三角錐より成り、９個の截頭三角錐を同一平面に配置した場合に立体形状が截頭三角錐になるように構成し、中段は９個の截頭三角錐より成り、９個の截頭三角錐を同一平面に配置した場合に、立体形状が截頭三角錐になるように構成し、上段は９個の三角錐より成り、９個の三角錐を同一平面に配置した場合に立体形状が三角錐になるように構成し、下段の截頭三角錐の上に中段の截頭三角錐を、中段の截頭三角錐の上に上段三角錐を搭載した場合に、全体で三角錐を形成するように構成した、三次元表示装置を特徴とするものである。
【発明の効果】
【０００５】
本発明の三次元表示装置は以上説明したようになるから次のような効果を得ることができる。
＜１＞一般に社会現象などを三要素に分解した場合に、それを目視できる状態で図示することは困難である。
しかるに本発明の装置を使用すれば、三角形の底辺と高さを使って位置を決定することができる。
そのために、本発明の装置を見る者は、全体の中でどの位置にあるのか直感的に状況を把握することができる。
＜２＞  したがって例えばコンサルタントがクライアントに相手の企業の評価結果を示す場合に、この装置を利用して一つのブロックを示すことによってクライアントはその状況を直感的に理解することができ、説明者と聞く者との間に誤解が生じることがない。
＜３＞三要素の分析結果を立体的に示すことができるから、膨大な図表を使わずに、きわめて簡単に一瞬で状況を伝えることがきる。
＜４＞この装置があれば、これを基礎としてコンピュータグラフィックスで立体視した映像を作成することも容易であり、クライアントにおける会議で誰でも理解できる分かりやすいプレゼンテーションを行なうことができる。
＜５＞例えばクレジット会社、コンサルタント会社などのように、多数の顧客と比較的長期間にわたって取引する組織においては、本発明の装置を利用することによって、抱える顧客群を立体化して分類、表示できる。
その結果、それぞれの顧客に最適なサービスを行うことができる。
【発明を実施するための最良の形態】
【０００６】
本発明は、２７個のブロックより構成し、２７個のブロックを上中下三段階に分け、下段は９個の截頭三角錐より成り、９個の截頭三角錐を同一平面に配置した場合に、立体形状が截頭三角錐になるように構成し、中段は９個の截頭三角錐より成り、９個の截頭三角錐を同一平面に配置した場合に、立体形状が截頭三角錐になるように構成し、上段は９個の三角錐より成り、９個の三角錐を同一平面に配置した場合に立体形状が三角錐になるように構成し、下段の截頭三角錐の上に中段の截頭三角錐を、中段の截頭三角錐の上に上段三角錐を搭載した場合に、全体で三角錐を形成するように構成した、三次元表示装置である。
【実施例】
【０００７】
以下図面を参照しながら本発明の三次元表示装置の実施例について説明する。
【０００８】
＜１＞全体の構成。
本発明の三次元表示装置は、２７個のブロックに分割した三角柱によって構成する。
この２７個のブロックを、９個づつ上中下三段階に分けて構成する。
【０００９】
＜２＞下段。
下段ｃは９個の截頭三角錐より構成する。
ここに截頭三角錐とは、三角錐の上部を、底面と並行の面で截断した状態の三角ブロックのことであり、断面の変化しない三角柱とは異なり、上方に向かって徐々に断面が縮小している。
そして、９個の截頭三角錐のブロックを同一平面に配置した場合に、全体の立体形状が截頭三角錐になるように構成する。
【００１０】
＜３＞中段。
中段ｂは９個の截頭三角錐より構成する。
この９個の截頭三角錐のブロックを同一平面に配置した場合に、全体の立体形状が截頭三角錐になるように構成する。
そして中段ｂの９個の截頭三角錐のブロックの集合体は、下段ｃの截頭三角錐のブロックの集合体の上に載せた場合に、全体が截頭三角錐を形成するような寸法に構成する。
【００１１】
＜４＞上段。
上段ａは９個の三角錐より構成する。
そして上段ａの９個の三角錐を同一平面に配置した場合に立体形状が三角錐になるように構成する。
この上段ａの９個の三角錐のブロックの集合体は、中段ｂの截頭三角錐のブロックの集合体の上に載せた場合に、全体が三角錐を形成するような寸法に構成する。
【００１２】
＜５＞組み立てた状態。
上記したように下段ｃと中段ｂのブロックの集合体は截頭三角錐に、上段ａのブロックの集合体は三角錐を形成する。
したがって下段ｃの截頭三角錐ブロックの集合体の上に中段ｂの截頭三角錐ブロックの集合体を搭載し、中段ｂの截頭三角錐の集合体の上に上段ａ三角錐ブロックの集合体を搭載した場合に、全体で三角錐を形成することになる。
【００１３】
＜６＞数字の割り当て。
例えば２７個の各ブロックに、所定の数字を記載する。
そして、図の例のように、上段ａの三角錐には１から９までの数字を割り当てて、その表面に印刷する。
中段ｂの截頭三角錐には１０から１８までの数字を割り当てて、その表面に印刷する。
下段ｃの截頭三角錐には１９から２７までの数字を割り当てて、その表面に印刷する
そして例えば企業の評価基準を「収益性」「安全性」「継続性」の三要素に分解して評価をする場合に使用する。
一方、全ブロックを組み立てた三角錐の底辺の二辺に継続性と収益性を割り当て、高さ方向に安全性を割り当てる。
そしてＰ社を企業分析した結果、「収益性」はＡ、「安全性」はＣ、「継続性」はＢという結論が出たとする。
この場合に、前記したように二つの要素ならばＸＹ軸を使用した平面上の点でその位置をしめすことが出来るが、三要素の場合にはそのまま図示することが困難である。  
そこでまず分析結果を数値で特定する。そのためには表１に示すような換算表を使用してＰ社の総合評価を「５」と特定する。
するとＰ社の位置は、本発明の三次元表示装置の５のブロックの位置で表示することができる。
その結果、分析を依頼したＰ社にとって、自社は全体のどの位置にあるか、直感的に把握することができる。
【００１４】
【表１】
2005031514.tif 000003
【００１５】
＜７＞記号などの割り当て。
企業の評価に限らず、各種の社会現象などを、３つの要素に分解して評価する場合に、数字以外に記号、文字などを割り当てることもできる。
いずれの表現を使用するにしても、抽象的な三次元の点の位置を、ブロックに記載した数字、記号、文字などによって目視でき、直感的な把握を促すことができるものである。
【図面の簡単な説明】
【００１６】
【図１】本発明の三次元表示装置の実施例の説明図。
【図２】三次元表示装置を分解した状態の説明図。
【図３】上中下段ｃの数字の配置の説明図。
【符号の説明】
【００１７】
ａ  上段のブロックの集合体
ｂ  中段のブロックの集合体
ｃ  下段のブロックの集合体
【図１】
2005031514.tif 000004
【図２】
2005031514.tif 000005
【図３】
2005031514.tif 000006